(57)【特許請求の範囲】
【請求項１】
カメラ本体にホールディング用アクセサリを連結した状態を保持するためのロック装置であって、
ハウジングと、
前記ハウジングに移動自在に支持されたロックレバーと、
前記ロックレバーの移動に抵抗を付与するクリックストップ機構と、
前記ハウジングに移動自在に支持され、前記ロックレバーに連動して変位する、前記カメラ本体に係止可能な第１および第２の連結部材とを備え、
前記ロックレバーがロック位置にあるとき、前記第１および第２の連結部材は前記カメラ本体に係止し、
前記ロックレバーが前記ロック位置から、前記抵抗に抗し、移動して部分解除位置にあるとき、前記ロックレバーが前記抵抗から解放されるとともに、前記第１の連結部材が前記カメラ本体から解放され、かつ前記第２の連結部材が前記カメラ本体に係止した状態を維持し、
前記ロックレバーが前記部分解除位置からさらに移動して完全解除位置にあるとき、前記第１および第２の連結部材の両方が前記カメラ本体から解放可能となる
ことを特徴とするカメラのホールディング用アクセサリのロック装置。
【請求項２】
前記第１および第２の連結部材の移動方向の向きが相互に反対であることを特徴とする請求項１に記載のロック装置。
【請求項３】
前記第１の連結部材が移動方向に対して約４５度に傾斜する平板状の第１の連結爪を有し、前記第２の連結部材が垂直上方に延びる起立部とこの起立部の上端からほぼ水平に近い緩い傾斜角で延びる係止部とから成る第２の連結爪を有することを特徴とする請求項１に記載のロック装置。
【請求項４】
前記第１の連結爪の移動範囲は、前記カメラ本体に形成されて前記第１の連結爪が係合する第１の開口の幅の約半分であり、前記第２の連結爪の移動範囲は、前記カメラ本体に形成されて前記第２の連結爪が係合する第２の開口とほぼ同じであることを特徴とする請求項３に記載のロック装置。
【請求項５】
前記第１の連結部材が開口を有し、前記アクセサリ内に設けられた電気回路と前記カメラ本体に設けられた電気回路とを電気的に接続するための信号接点ピンが前記開口内に位置することを特徴とする請求項１に記載のロック装置。
【請求項６】
前記ロック位置にある前記ロックレバーの先端の操作部に近接した位置であって、前記ロックレバーに対して前記部分解除位置とは反対側に、ロック解除部材が設けられ、前記ロック解除部材は前記ロックレバーの移動方向にほぼ垂直な方向に移動自在であることを特徴とする請求項１に記載のロック装置。
【請求項７】
前記ロック解除部材の先端面が、前記ロック解除部材の移動方向に垂直な面に対して傾斜していることを特徴とする請求項６に記載のロック装置。
【請求項８】
前記第１および第２の連結爪の可動範囲の近傍に設けられた、弾性部材からなる台座を有することを特徴とする請求項３に記載のロック装置。
【発明の詳細な説明】
【０００１】
【発明の属する技術分野】
本発明は、カメラ本体に着脱自在に取り付けられる、カメラのホールディング用アクセサリに関する。
【０００２】
【従来の技術】
従来、カメラには種々の電気回路が設けられており、これらはカメラ本体に収容された電池によって電力を供給される。電池の消耗はカメラの使用状況に応じて変化し、例えばストロボ撮影を多用すると、電池の寿命は著しく短くなり、電池交換の頻度は高くなる。そこで従来、電池を収容したアクセサリをカメラ本体に着脱自在に取付可能とし、長期間にわたって電池を交換することなく使用できるカメラが提案されている。
【０００３】
一方、カメラは撮影時、通常、シャッタボタンが撮影者から見て右上に位置する状態すなわち横位置に定められるが、目的に応じて、撮影光学系の光軸の周りに９０度回転させた縦位置に定められることもある。しかし縦位置に定められると、シャッタボタンが撮影者から見て左側面の上部に位置することとなり、シャッタレリーズ動作がやり難くなる。そこで従来、カメラ本体に設けられた第１のシャッタボタンとは別に、電池を収容したアクセサリに第２のシャッタボタンを設けて、横位置と同じ状態、すなわち第２のシャッタボタンが撮影者から見て右上に位置するように構成されたものが知られている。
【０００４】
【発明が解決しようとする課題】
従来のホールディング用アクセサリは、通常、カメラ本体の底面に設けられた三脚雌ネジに連結されるように構成されている。すなわちアクセサリには、三脚雌ネジに螺合する雄ネジ部材が設けられ、雄ネジ部材に取付けられたダイアル部材がアクセサリの側壁に露出しており、このダイアル部材を回転操作することにより、アクセサリはカメラ本体に取り付けられ、あるいは取り外される。ところが、このようなダイアル部材の操作による取り付けおよび取り外し操作は、ダイアル部材を何回転もさせなければならず、煩雑で時間がかかり、また取り外し操作においては、雄ネジ部材と雌ネジの螺合解除が予め認識しにくいために、雄ネジ部材が三脚雌ネジから解放された瞬間にアクセサリが落下してしまうそれがある。
【０００５】
したがって本発明の目的は、ホールディング用アクセサリとカメラ本体の取り付けおよび取り外し操作を簡単にするとともに、アクセサリが誤って落下することを防止することにある。
【０００６】
【課題を解決するための手段】
本発明に係るカメラのホールディング用アクセサリのロック装置は、ハウジングと、ハウジングに移動自在に支持されたロックレバーと、ハウジングに移動自在に支持され、ロックレバーに連動して変位する、カメラ本体に係止可能な第１および第２の連結部材とを備え、ロックレバーがロック位置にあるとき、第１および第２の連結部材はカメラ本体に係止し、ロックレバーがロック位置から移動して部分解除位置にあるとき、第１の連結部材がカメラ本体から解放される一方、第２の連結部材はカメラ本体に係止した状態を維持することを特徴としている。
【０００７】
ロックレバーが部分解除位置からさらに移動して完全解除位置にあるとき、第１および第２の連結部材の両方がカメラ本体から解放可能になる。すなわちホールディング用アクセサリは、ロックレバーが部分解除位置にある状態ではカメラ本体から解放されないが、ロックレバーが完全解除位置に定められて初めてカメラ本体から解放可能となる。
【０００８】
第１および第２の連結部材の移動方向の向きは相互に反対であることが好ましい。第１の連結部材は例えば、移動方向に対して約４５度に傾斜する平板状の第１の連結爪を有し、第２の連結部材は例えば、垂直上方に延びる起立部とこの起立部の上端からほぼ水平に近い緩い傾斜角で係止部とから成る第２の連結爪を有する。この場合、好ましくは、第１の連結爪の移動範囲は、カメラ本体に形成されて第１の連結爪が係合する第１の開口の幅の約半分であり、第２の連結爪の移動範囲は、カメラ本体に形成されて第２の連結爪が係合する第２の開口とほぼ同じである。
【０００９】
ロック装置は、好ましくは、ロックレバーがロック位置と部分解除位置の間において切り換えられるときにロックレバーの移動に所定の抵抗を付与するクリックストップ機構を備える。これによれば、ロック位置にあるロックレバーを不用意に操作することが防止される。
【００１０】
またロック装置は、第１の連結部材が開口を有し、アクセサリ内に設けられた電気回路とカメラ本体に設けられた電気回路とを電気的に接続するための信号接点ピンが開口内に位置するように構成されることが好ましい。
【００１１】
好ましくは、ロック位置にあるロックレバーの先端の操作部に近接した位置であって、ロックレバーに対して部分解除位置とは反対側に、ロック解除部材が設けられ、ロック解除部材はロックレバーの移動方向に垂直な方向に移動自在である。これにより、ロックレバーを不用意に操作することが確実に防止される。また、この構成において、ロック解除部材の先端面はロック解除部材の移動方向にほぼ垂直な面に対して傾斜していることが好ましく、これにより、ロック解除部材の操作が容易になる。
【００１２】
【発明の実施の形態】
以下、本発明の実施形態を図面を参照して説明する。
図１はカメラ本体１０と、本発明の一実施形態であるホールディング用アクセサリ２０とを分離した状態を示し、カメラ本体１０は横位置に定められている。アクセサリ２０はカメラ本体１０の底面に着脱自在に取り付けられる。
【００１３】
カメラ本体１０において、前面には交換レンズ１１が着脱自在に取り付けられ、上面の中央にはファインダ１２が設けられている。またカメラ本体１０において、前方から見て左端部には、撮影者がカメラ本体１０を保持しやすくなるように前方に突出した第１のグリップ部１３が形成され、第１のグリップ部１３の上面には第１のシャッタボタン１４が設けられている。カメラ本体１０の左右の肩部にはストラップを取り付けるための三角環１５、１６が装着されている。
【００１４】
アクセサリ２０において、前方から見て左端部には、第１のグリップ部１３の下端部に合致した水平断面形状となるように前方に突出した膨出部２１が形成され、またアクセサリ２０の下部には、水平方向に延びる第２のグリップ部２２が突出している。第２のグリップ部２２の膨出部２１に近接した部位には、第２のシャッタボタン２３が設けられている。すなわちカメラ本体１０を、前方から見て時計周りに約９０度回転させた縦位置において、第２のシャッタボタン２３は上方を向く。
【００１５】
アクセサリ２０の内部には、電池の他、第２のシャッタボタン２３等を操作することによって所定の電気信号を発生する種々の電気回路が設けられている。アクセサリ２０の上面には、電池により発生する電力をカメラ本体１０内の電気回路に供給するためのリード線を内蔵した挿入部材２４が設けられている。挿入部材２４はカメラ本体１０に形成された電池室（図示せず）に挿入される。またアクセサリ２０の上面には、電気信号をカメラ本体１０内の電気回路に伝送するための信号接点ピン２５が設けられている。さらにアクセサリ２０の上面には、アクセサリ２０をカメラ本体１０に連結するときに、両者間の位置決めを行うための位置決めピン２６と、アクセサリ２０をカメラ本体１０に対して固定するための第１および第２の連結部材２７、２８とが設けられている。
【００１６】
図２はアクセサリ２０を後方から見た斜視図である。
アクセサリ２０のハウジングの外壁は、前カバー３１（図３参照）と後カバー３２から構成され、側面に形成される開口は蓋部材３７によって閉塞される。後カバー３２には水平方向に延びるスリット６１が穿設され、スリット６１には、カメラ本体１０にアクセサリ２０を連結した状態を保持するロック装置のロックレバー６２が挿通している。ロックレバー６２はスリット６１に沿って移動自在である。アクセサリ２０を後方から見て、スリット６１の右端部の近傍にはロック解除部材６３が設けられている。ロック解除部材６３は後カバー３２の壁面に対して垂直方向に移動自在である。
【００１７】
アクセサリ２０の後カバー３２において、ロック解除部材６３の下側には電源スイッチ６４が設けられ、電源スイッチ６４の右側にはＡＥロックボタン６５が設けられている。電源スイッチ６４を操作することによって、アクセサリ２０内に設けられた電池からカメラ本体１０内の電気回路への電力供給が開始される。ＡＥロックボタン６５を操作することによって、露出条件が所定時間だけ固定される。また後カバー３２において、ＡＥロックボタン６５の右側には、リモコン撮影のモードをオンオフするためのリモコンスイッチ６６と、リモコン撮影時にリモコン（図示せず）から出射される赤外光を受光するリモコン受光窓６７とが設けられている。
【００１８】
図３と図４を参照してアクセサリ２０のハウジングの構成を説明する。なお図３において、挿入部材２４（図１、図２参照）は省略されている。
【００１９】
アクセサリ２０のハウジングは、カメラ本体１０の前面に対応する前カバー３１と、カメラ本体１０の後面に対応する後カバー３２と、前カバー３１と後カバー３２の間に設けられた中仕切部材３３とを備える。前カバー３１と後カバー３２はそれぞれ、カメラ本体１０の幅すなわち左右方向の長さにほぼ等しく、ビス３４によって中仕切部材３３に固着される。前カバー３１は上述したように、膨出部２１と第２のグリップ部２２とを有し、第２のグリップ部２２の膨出部２１とは反対側の端部には第１の切欠３５が形成されている。後カバー３２の第１の切欠き３５に対応した位置には第２の切欠３６が形成されている。前カバー３１と後カバー３２と中仕切部材３３が組み立てられた状態において、第１および第２の切欠３５、３６によって区画される開口は、上述したように蓋部材３７によって閉塞される。
【００２０】
中仕切部材３３は前カバー３１および後カバー３２よりも若干短いが、カメラ本体１０の左右方向のほぼ全域にわたって延びている。前カバー３１と後カバー３２と中仕切部材３３の壁面には、電池の外面に沿って円弧状に切欠かれた多数のリブ３８が形成されている。すなわち、前カバー３１と後カバー３２と中仕切部材３３が組み立てられた状態において、図４に明示されるように、複数の電池を収容するための電池室４１が区画形成され、中仕切部材３３は電池室４１おいて複数の電池の間を区画する壁を構成する。また中仕切部材３３は、交換レンズ（撮影光学系）１１の光軸に垂直な平板３９を有し、平板３９により、アクセサリ２０の曲げ剛性が高められ、強度性能が向上する。なお中仕切部材３３の長手方向（カメラ本体１０の幅方向）のほぼ中央の下部に形成された穴４２には、三脚を連結するための三脚雌ネジ４３が設けられている。
【００２１】
前カバー３１と後カバー３２と中仕切部材３３は合成樹脂から成り、図４において横方向に変位する上型と下型から構成された金型によって成形される。すなわち、アクセサリ２０のハウジングを前カバー３１と後カバー３２に分割し、中仕切部材３３によって連結する構成を採用したことにより、これらの樹脂成形品の製造工程において、金型からの離型が容易になり、アクセサリ２０の製造コストが抑えられる。
【００２２】
前カバー３１と後カバー３２の底面において、中仕切部材３３に連結するためのビス３４が設けられる部位を含む部分はそれぞれ凹陥しており、これらの凹陥部４４には、底面ゴムカバー４６が設けられる。一方、前カバー３１の上面には、外観ゴムカバー４７が貼付される。中仕切部材３３の上面には金属製の支持板６８が載置され、前カバー３１と後カバー３２の上方に形成される開口は上板４８よって閉塞される。上板４８には、開口４８ａ、４８ｂ、４８ｃが形成されている。また、上板４８上の開口４８ａ、４８ｃのそれぞれの短辺近傍には、ゴムなどの弾性部材で形成された円板状の台座４８ｄが設けられている。
【００２３】
図５、６および７を参照してロック装置の構成を説明する。図５はロックレバー６２がロック位置にあってアクセサリ２０がカメラ本体１０に強固に連結される状態を示し、図６はロックレバー６２が部分解除位置にあってアクセサリ２０がカメラ本体１０にまだ部分的に連結されている状態を示している。図７はロックレバー６２が完全解除位置にあってアクセサリ２０がカメラ本体１０から完全に分離される状態を示している。
【００２４】
ロックレバー６２は、支持板６８に固定された枢支ピン６８ａによって、支持板６８に沿って回動自在に支持されている。ロックレバー６２のアーム６２ａは支持板６８の縁部よりも外側へ突出し、アーム６２ａの突出端にはロックボタン（操作部）６２ｂが設けられている。アーム６２ａの支持板６８側の面には案内ピン６２ｃが突設されており、案内ピン６２ｃは、支持板６８に形成されて枢支ピン６８ａを曲率中心とする円弧状の長穴６８ｂに嵌合している。すなわち、ロックレバー６２は、案内ピン６２ｃが長穴６８ｂ内で移動できる範囲において回動自在である。ロックレバー６２は、枢支ピン６８ａからアーム６２ａに対してほぼ垂直方向に延びる第１および第２張出部６２ｅ、６２ｆを有している。第１張出部６２ｅの先端には環状のカラー６２ｇが枢着され、第２張出部６２ｆの先端には押圧ピン６２ｈが固定されている。
【００２５】
第１連結部材２７は、支持板６８の上面に設けられた４つの案内ローラ６８ｃに案内され、支持板６８すなわちハウジングに移動自在に支持されている。第１連結部材２７の一方の縁部に形成された連結爪２７ａは、上板４８の開口４８a(図３参照）から突出しており、後述するように、ロックレバー６２に連動して変位することにより、カメラ本体１０の底面に形成された開口の縁部に係止可能である。第１の連結部材２７は矩形の開口２７ｂを有する。開口２７ｂの内側には、アクセサリ２０内の電気回路とカメラ本体１０内の電気回路とを電気的に接続するための信号接点ピン２２が位置している。信号接点ピン２２は上板４８の開口４８ｂ(図３参照）から突出して、カメラ本体１０の底面に設けられた電気接点に接触可能である。
【００２６】
第１連結部材２７と支持板６８は一対の引張バネ６９によって連結され、第１の連結部材２７は常時ロックレバー６２側、すなわち連結爪２７ａとは反対方向に付勢されている。第１連結部材２７の連結爪２７ａとは反対側の縁部には、「く」の字状に屈曲された板バネ２７ｃが設けられ、板バネ２７ｃには、ロックレバー６２のカラー６２ｇが係合可能である。すなわち第１連結部材２７は、板バネ２７ｃを介してロックレバー６２により押圧され、連結爪２７ａ側すなわち外側に変位する。
【００２７】
中間レバー７１は、支持板６８に固定された枢支ピン６８ｄに、回動自在に支持されている。中間レバー７１のロックレバー６２側の縁部７１ａは、押圧ピン６２ｈとの干渉を避けるために円弧状に形成されており、縁部７１ａの枢支ピン６８ｄ側の端部には押圧ピン６２ｈが係合する切欠７１ｂが形成されている。中間レバー７１に固着されたピン７１ｄと支持板６８に固着されたピン６８ｅはオメガバネ７３によって連結されている。これにより中間レバー７１は、ロックレバー６２側に回動した第１の位置（図７参照）と第２の連結部材２８側に回動した第２の位置（図５および図６参照）において、安定的に静止する。なお中間レバー７１には、後述するように第２の連結部材２８に設けられた連結ピン２８ｄが係合する穴７１ｅが形成されている。
【００２８】
第２の連結部材２８は、支持板６８の上面に設けられた４つの案内ローラ６８ｆに案内され、支持板６８すなわちハウジングに移動自在に支持されている。第２の連結部材２８の移動方向は第１の連結部材２７の移動方向に平行であるが、その向きは相互に逆である。なお４つの案内ローラ６８ｆのうちの１つは、上述したピン６８ｅを兼ねている。第２の連結部材２８には、連結爪２８ａが形成されている。連結爪２８ａは上板４８の開口４８ｃ(図３参照）から突出しており、後述するように、ロックレバー６２に連動して変位することにより、カメラ本体１０の底面に形成された開口の縁部に係止可能である。また第２の連結部材２８には、移動方向に沿って延びる第１および第２の案内スリット２８ｂ、２８ｃが形成されている。第１の案内スリット２８ｂは枢支ピン６８ａに係合し、第２の案内スリット２８ｃは枢支ピン６８ｄに係合している。連結部材２８に固定された連結ピン２８ｄは、中間レバー７１の穴７１ｅに係合している。
【００２９】
図８は、アクセサリ２０をカメラ本体１０に取り付けたときにおける、両者の結合状態を示す断面図である。この図に示されるように、第１の連結部材２７の連結爪２７ａは移動方向に対して約４５度に傾斜する平板状を呈し、連結爪２７ａの移動範囲はカメラ本体１０の開口１０ａの幅の約半分である。これに対し、第２の連結部材２８の連結爪２８ａは、垂直上方に延びる起立部２８ｅと起立部２８ｅの上端からほぼ水平方向に近い緩い傾斜角をなして延びる係止部２８ｆとから成る。係止部２８ｆはカメラ本体１０の内部に入り込んでいる。連結爪２８ａの移動範囲はカメラ本体１０の開口１０ｂの幅とほぼ同じであり、係止部２８ｆの幅は開口１０の幅よりも小さい。また、このロック状態においては、連結爪２７ａ、２８ａのそれそれの傾斜面からの押圧力により、台座４８ｄはカメラ本体１０の底部との間に挟持されて弾性変形して密着し、がたつきや滑りをなくして両者の密着性を高めている。
【００３０】
次に、ロック装置の作用を説明する。
図５に示されるようにロックレバー６２がロック位置にあるとき、ロックボタン６２ｂは側面６２ｉがロック解除部材６３に近接した位置にあり、カラー６２ｇは板バネ２７ｃの屈曲部２７ｄの近傍を押圧している。したがって第１の連結部材２７は、カラー６２ｇが板バネ２７ｃを押圧することによって生じるバネ力により付勢され、引張バネ６９のバネ力に抗して、連結爪２７ａ側に変位している。一方、中間レバー７１はオメガバネ７３のバネ力により、第２の連結部材２８を連結爪２８ａ側すなわち外側に押圧した位置に静止している。すなわち第１および第２の連結部材２７、２８は相互に離れる方向に位置して固定されており、アクセサリ２０がカメラ本体１０に取り付けられた状態において、連結爪２７ａ、２８ａはカメラ本体１０の底面の開口の外側縁部にそれぞれ係止し、アクセサリ２０とカメラ本体１０は相互に強固に連結される。
【００３１】
アクセサリ２０をカメラ本体１０から取り外すには、まずロック解除部材６３を第１の連結部材２７側に押し込んで、ロックボタン６２ｂの側面６２ｉを露出させる。これによりロックレバー６２は操作しやすくなり、側面６２ｉを第２の連結部材２８側へ向けて押すと、カラー６２ｇが板バネ２７ｃを撓めて屈曲部２７ｄを乗り越え、ロックレバー６２は、押圧ピン６２ｈが中間レバー７１の切欠７１ｂに係合した状態において停止する。この状態が図６に示される部分解除位置であり、板バネ２７ｃがカラー６２ｇから解放されるので、第１の連結部材２７は引張バネ６９によって内側（ロックレバー６２側）に変位する。これにより、第１の連結部材２７の連結爪２７ａはカメラ本体１０の底面の開口縁部から解放される。これに対し、第２の連結部材２８はオメガバネ７３に付勢されて静止しており、連結爪２８ａはカメラ本体１０の底面の開口縁部に係止した状態を維持している。この状態では、アクセサリ２０の連結爪２７ａ側がカメラ本体から離間可能であるが、位置決めピン２６がカメラ本体１０の挿入孔の内壁に係合し、連結爪２８ａと協働することにより、アクセサリ２０が第２の連結部材２８を介してカメラ本体１０に連結された状態が維持される。したがって、使用者がアクセサリ２０を手から離してもアクセサリ２０は落下しない。
【００３２】
ロックレバー６２を部分解除位置（図６）からさらに第２の連結部材２８側に移動させると、押圧ピン６２ｈが切欠７１ｂを押圧し、中間レバー７１が図７において反時計方向に回動する。この結果、連結ピン２８ｄを介して、第２の連結部材２８が内側（ロックレバー６２側）に移動し、図７に示される完全解除位置において静止する。この状態では、第２の連結部材２８の連結爪２８ａはカメラ本体１０の底面の開口縁部から解放される。すなわち、第１および第２の連結部材２７、２８の連結爪２７ａ、２８ａがともにカメラ本体１０から解放され、アクセサリ２０はカメラ本体１０から外される。
【００３３】
アクセサリ２０をカメラ本体１０に取り付けるときには、まずアクセサリ２０をカメラ本体１０の底面に当接させて、連結爪２７ａ、２８ａをカメラ本体１０の底面の開口に挿入させる。そして、完全解除位置（図７参照）に定められたロックレバー６２を第１の連結部材２７側に倒し、ロック位置（図５参照）に定めればよい。これにより、連結部材２７、２８が外側に変位して連結爪２７ａ、２８ａがカメラ本体１０の底面の開口縁部に係止する。このとき、連結爪２７ａ、２８ａの傾斜面による押圧力により、カメラ本体１０の底部とアクセサリ２０の上板４８との間にある台座４８ｄが弾性変形し、これによりカメラ本体１０とアクセサリ２０の間は、がたつきのない確実な係止状態に定められる。
【００３４】
以上のようにアクセサリ２０をカメラ本体１０から取り外す操作において、ロックレバー６２はロック位置（図５）から回動して部分解除位置（図６）に一旦固定され、この状態ではアクセサリ２０は第２の連結部材２８によってカメラ本体１０に連結している。したがって、アクセサリ２０が誤って落下することはない。また、ロックレバー６２をロック位置から部分解除位置を経て完全解除位置に移動させる操作、および完全解除位置からロック位置に定める操作は、ロックレバー６２を単に回動させるだけでよいので、アクセサリ２０とカメラ本体１０の取り付けおよび取り外し操作は極めて簡単である。
【００３５】
また板バネ２７ｃが第１の連結部材２７に設けられているので、ロックレバー６２の回動操作において、カラー６２ｇが板バネ２７ｃの屈曲部２７ｄを乗り越えるのに十分な力で、ロックレバー６２を押さなければならない。このようにロックレバー６２の移動に所定の抵抗を付与するクリックストップ機構を設けたことにより、ロック位置にあるロックレバー６２を不用意に操作することが防止される。
【００３６】
図９および図１０はロックレバー６２とロック解除部材６３の構成を示している。ロック解除部材６３には一対のスリット６３ａが形成され、各スリット６３ａにはそれぞれ、支持板６８に設けられた一対の案内ピン６８ｇに係合している。スリット６３ａはロックボタン６２ｂの移動方向にほぼ垂直な方向に延びている。すなわち、ロック解除部材６３はロックボタン６２ｂの移動方向にほぼ垂直な方向に変位自在である。ロック解除部材６３の下端部に形成されたフック６３ｂと支持板６８に設けられたピン６８ｈとはバネ６３ｃによって連結されており、ロック解除部材６３は常時、アクセサリ２０の後カバー３２（図３参照）側、すなわち後カバー３２から突出する方向（図９および図１０の上方）に付勢されている。
【００３７】
ロック解除部材６３の先端にはロック解除ボタン６３ｄが設けられている。ロック解除ボタン６３ｄの先端面６３ｅは、ロック解除部材６３の移動方向に垂直ではなく、移動方向に垂直な面に対して若干傾斜している。これは、ロック解除部材６３を押し易くするためである。
【００３８】
またロック解除部材６３には係止溝６３ｆが形成されている。図９に示されるようにロックレバー６２がロック位置にあるとき、ロックレバー６２の案内ピン６２ｃは係止溝６３ｆに係止し、これによりロックレバー６２はロック位置に固定される。これに対し、図１０に示されるようにロック解除部材６３がバネ６３ｃのバネ力に抗して押下されると、案内ピン６２ｃが係止溝６３ｆから解放され、ロックレバー６２は回動可能となる。また、この状態において、ロック解除ボタン６３ｄが移動したことによってロックボタン６２ｄの側面６２ｉが露出するので、使用者がロックボタン６２ｂを操作しやすくなる。逆に言えば、図９のようにロック解除ボタン６３ｄがロックボタン６２ｂの側面６２ｉを覆う状態では、ロックボタン６２ｂを誤って操作するおそれが防止される。
【００３９】
【発明の効果】
以上のように本発明によれば、ホールディング用アクセサリとカメラ本体の取り付けおよび取り外し操作が簡単になり、またアクセサリが誤って落下することが防止される。
【図面の簡単な説明】
【図１】カメラ本体と、本発明の一実施形態であるホールディング用アクセサリとを示す分解斜視図である。
【図２】ホールディング用アクセサリを後方から見た斜視図である。
【図３】ホールディング用アクセサリのハウジングを示す分解斜視図である。
【図４】ホールディング用アクセサリの横断面図である。
【図５】ロックレバーがロック位置にあるときのロック装置を示す平面図である。
【図６】ロックレバーが部分解除位置にあるときのロック装置を示す平面図である。
【図７】ロックレバーが完全解除位置にあるときのロック装置を示す平面図である。
【図８】アクセサリとカメラ本体の結合状態を示す断面図である。
【図９】ロック解除部材がロックボタンの側面を覆っている状態を示す図である。
【図１０】ロック解除部材がロックボタンの側面を開放した状態を示す図である。
【符号の説明】
１０  カメラ本体
２０  ホールディング用アクセサリ
２７  第１の連結部材
２８  第２の連結部材
６２  ロックレバー
【図１】
0003958530.tif 000002
【図２】
0003958530.tif 000003
【図３】
0003958530.tif 000004
【図４】
0003958530.tif 000005
【図５】
0003958530.tif 000006
【図６】
0003958530.tif 000007
【図７】
0003958530.tif 000008
【図８】
0003958530.tif 000009
【図９】
0003958530.tif 000010
【図１０】
0003958530.tif 000011